(57)【要約】【課題】  マンホール壁のステップ取付孔に地下水が浸入することを防いで、マンホール壁へのステップの取付作業を容易にするコンクリート製マンホールへのステップ取付け方法及び取付具を提供する。【解決手段】  マンホール壁１ａに貫通させて設けたステップ取付孔２に、一端１０が閉塞された略円筒状でその周壁部に複数の開口１５を有するスリーブ３を挿入すると共に、スリーブ３内に、接着用樹脂を含浸させた袋状のスポンジ６を装着したステップ４の取付端部５を挿入した。すると、ステップ取付孔２への地下水の浸入を防止できると共に、接着用樹脂がスリーブ３の各開口１５からステップ取付孔２の内壁面に到達して、ステップ４の取付端部５がスリーブ３を介してステップ取付孔２に接着され、ステップ４がマンホール壁１ａに取り付けられる。【選択図】        図２
2006009267.tif 000002
【特許請求の範囲】
【請求項１】
コンクリート製マンホール壁にステップ取付孔を貫通させて設けた後、前記ステップ取付孔に、周壁部に開口を備えた有底筒状体を挿入し、さらに、接着用樹脂を含浸させた多孔質袋体を装着したステップの取付端部を前記有底筒状体内に挿入して、前記ステップ取付孔内に前記ステップを接着して取付けることを特徴とするコンクリート製マンホールへのステップ取付け方法。
【請求項２】
コンクリート製マンホール壁に形成されたステップ取付孔に挿入され、周壁部に開口を備えた有底筒状体と、ステップの取付端部に装着され、前記有底筒状体内に挿入される接着用樹脂を含浸させた多孔質袋体と、から構成されることを特徴とするコンクリート製マンホールへのステップ取付具。
【請求項３】
前記有底筒状体は、前記開口の周囲に抜け防止部が形成されていることを特徴とする請求項２に記載のコンクリート製マンホールへのステップ取付具。
【発明の詳細な説明】
【技術分野】
【０００１】
本発明は、コンクリート製マンホールへのステップ取付け方法及び取付具に関し、特に、既設の薄壁厚のコンクリート製マンホールへのステップ取付け方法及び取付具に関するものである。
【背景技術】
【０００２】
一般に、コンクリート製マンホールの内壁面には、作業者が昇降するためのステップが鉛直方向に一定間隔を置いて複数取り付けられている。これらのステップは略コ字状で、その中央部がマンホール内を昇降する作業者の足場や手を掛ける位置となり、両端の取付端部がマンホール壁に埋め込まれている。
そこで、長期間経過したマンホールにおいては、ステップが腐食することがあるため、ステップを取り替える必要性が出てくる。そして、ステップの取り替え作業の際には、古いステップをマンホール内で切断し、露出した金属面に防腐剤を塗る等の処置をしておき、次に、マンホール壁に新しいステップを取付けるステップ取付孔をドリル等で穿設して、該ステップ取付孔にステップの取付端部を挿入して接着用樹脂やモルタルを充填して接着している。
【０００３】
しかしながら、既設の古いマンホール（特にＪＩＳ型といわれるもの）では、その壁にステップ取付孔を設ける際に、マンホール壁の壁厚が薄い（約６０ｍｍ）ため、そのステップ取付孔が貫通してしまうことがある。このように、ステップ取付孔が貫通してしまうと、マンホールの外側に存在する地下水がステップ取付孔に浸入してしまい、ステップの取付端部をステップ取付孔に接着する作業が非常に困難となる。また、ステップを接着するため使用する樹脂は、湿潤状態での接着能力がなく、ステップ取付孔に地下水が浸入してしまうと、湿潤状態での接着能力を有する高価な接着材を使用しなければならず、コストアップの要因となる。さらに、既設マンホールの壁にステップ取付孔を穿設する際に、貫通しないように貫通直前でドリル等を止める作業は、非常に困難な作業となる。
【０００４】
また、従来のコンクリート製マンホールへのステップの取付け方法として、特許文献１には、マンホールの内壁面に設けたステップ取付け孔の奥部軸孔を閉塞する閉塞体をステップ取付け孔に挿入した後、接着用樹脂を含浸させた袋状のスポンジをステップ端部に装着して、該ステップ端部をステップ取付け孔に挿入して、ステップを固着するコンクリート製マンホールへのステップ取付け方法が開示されている。
【０００５】
【特許文献１】特許第３２１０６４０号公報
【発明の開示】
【発明が解決しようとする課題】
【０００６】
しかしながら、特許文献１の発明は、新設されるマンホールにステップを取付ける際の取付方法を対象として、工場での取付け作業を想定したものであり、既設マンホールのステップの取り替えを想定するものではない。すなわち、この特許文献１の発明は、現場に据付ける前に、工場内でステップの取付作業をするために、マンホールをステップ取付け孔が下側になるように設置して、該ステップ取付け孔に閉鎖体を挿入した後、ステップ取付け孔に接着用樹脂を含浸させた袋状のスポンジが装着されたステップ端部を挿入して、接着の際、接着用樹脂がステップ取付け孔から外部に流出することを閉鎖体により防ぐ形態であり、既設マンホールのステップ取付け孔に地下水が浸入することを防いで、ステップ端部をステップ取付け孔に取付けるものではない。
【０００７】
本発明は、かかる点に鑑みてなされたものであり、マンホール壁のステップ取付孔に地下水が浸入することを防いで、マンホール壁へのステップの取付作業を容易にするコンクリート製マンホールへのステップ取付け方法及び取付具を提供することを目的とする。
【課題を解決するための手段】
【０００８】
本発明は、上記課題を解決するための手段として、請求項１に記載したコンクリート製マンホールへのステップ取付け方法の発明は、コンクリート製マンホール壁にステップ取付孔を貫通させて設けた後、前記ステップ取付孔に、周壁部に開口を備えた有底筒状体を挿入し、さらに、接着用樹脂を含浸させた多孔質袋体を装着したステップの取付端部を前記有底筒状体内に挿入して、前記ステップ取付孔内に前記ステップを接着して取付けることを特徴とするものである。
このように構成することにより、有底筒状体が貫通されたステップ取付孔に挿入されるので、ステップ取付孔への地下水の浸入が防止されると共に、接着用樹脂を含浸させた多孔質袋体を装着したステップの取付端部を有底筒状体内に挿入すると、接着用樹脂が有底筒状体の周壁部に設けた各開口からステップ取付孔の内壁面に到達して、ステップの取付端部が有底筒状体と共にステップ取付孔に接着される。
【０００９】
請求項２に記載したコンクリート製マンホールへのステップ取付具の発明は、コンクリート製マンホール壁に形成されたステップ取付孔に挿入され、周壁部に開口を備えた有底筒状体と、ステップの取付端部に装着され、前記有底筒状体内に挿入される接着用樹脂を含浸させた多孔質袋体と、から構成されることを特徴とするものである。
このように構成することにより、有底筒状体が地下水のステップ取付孔内への浸入を防止すると共に、ステップ取付端部に装着された多孔質袋体に含浸される接着用樹脂により、ステップの取付端部は有底筒状体を介してステップ取付孔に接着される。
【００１０】
請求項３に記載したコンクリート製マンホールへのステップ取付具の発明は、請求項２に記載した発明において、前記有底筒状体は、前記開口の周囲に抜け防止部が形成されていることを特徴とするものである。
このように構成することにより、有底筒状体がステップ取付孔に挿入された際、抜け防止部がステップ取付孔の内壁面に押圧されるので、有底筒状体がステップ取付孔から抜け出ることを防ぐ。
【発明の効果】
【００１１】
本発明のコンクリート製マンホールへのステップ取付け方法及び取付具の発明によれば、コンクリート製マンホール壁のステップ取付孔が貫通されたとしても、ステップ取付孔には有底筒状体が挿入されるので、地下水のステップ取付孔への浸入を確実に防ぐことができ、また、ステップの取付端部が接着用樹脂を含浸させた多孔質袋体を装着した状態で、有底筒状体内に挿入されるので、接着用樹脂によりステップの取付端部を有底筒状体を介してステップ取付孔に確実に接着することができる。これにより、ステップ取付孔を穿設する際、その深さに気を取られることなく作業ができ、その作業性を向上させると共に、ステップ取付孔に浸水することがないので、ステップを確実にマンホール壁に接着でき、ステップの取付に係る信頼性を向上させることができる。
また、有底筒状体の周壁部に設けた開口の周囲には、抜け防止部が形成されているので、ステップ取付孔に挿入された有底筒状体が容易にステップ取付孔から抜け出ることはなく、ステップの取付作業の作業性をさらに向上させることができる。
【発明を実施するための最良の形態】
【００１２】
以下、本発明を実施するための最良の形態を図１〜図４に基いて詳細に説明する。
図１に示すように、本発明の実施の形態に係るマンホールへのステップ取付具は、コンクリート製マンホール壁１ａを貫通させて設けたステップ取付孔２に挿入される略円筒状のスリーブ（有底筒状体）３と、ステップ（ステップ筋）４の取付端部５に装着されスリーブ３内に挿入される接着用樹脂を含浸させた袋状のスポンジ（多孔質袋体）６とから構成されている。また、マンホール１は既設のＪＩＳ型マンホールであり、その壁厚は約６０ｍｍに形成されている。
【００１３】
図示を省略するが、一般的にマンホール壁１ａには、鉛直方向に一定間隔を置いて複数のステップ４が取り付けられている。これらのステップ４は、図１及び図４に示すように、略コ字状に形成され、両端の取付端部５には、周方向に延びる突起部５ａが所定間隔を置いて複数形成されている。これらの突起部５ａは、接着用樹脂を含浸させた袋状のスポンジ６がステップ４の取付端部５に装着された際、該スポンジ６の抜け止めとして機能している。
【００１４】
スリーブ３は、図２及び図３に示すように、略円筒状の合成樹脂材でマンホール壁１ａの壁厚と略同等の長さに形成されている。また、スリーブ３の一端１０は閉塞され、一端１０の外周端面は面取りされている。一方、スリーブ３の他端１２は開放され、マンホール１の内壁面１ｂの湾曲形状に略一致する傾斜面１３に形成されたフランジ１４を備えている。また、スリーブ３の周壁部には略矩形状の開口１５が複数設けられ、長手方向及び周方向に延びる連結壁部１６、１６’が交差して格子状に形成されている。また、周方向に延びる連結壁部１６’（図では２箇所）には、その外周面に抜け止めのための爪部（抜け防止部）１７が一体に突設されている。この爪部１７を備えた連結壁部１６’は、断面略三角形に形成されている。また、スリーブ３の閉塞された一端１０側の外周面には、シール用のゴム輪７が装着される環状の溝部１８が形成されている。
【００１５】
また、図４に示す接着用樹脂を含浸させた袋状のスポンジ６は、袋状で通気性のあるウレタンフォームやスポンジ等の多孔質材料からなり、エポキシ樹脂等からなる接着用樹脂を万遍無く充分に含浸させて構成されている。この袋状のスポンジ６は、ステップ４の取付端部５に装着可能であると共に、その外径はステップ取付孔２の内径と略同じ大きさに形成されている。
【００１６】
次に、既設マンホール１において、古いステップ４を新しいステップ４に取り替える手順について説明する。
まず、古いステップ４は、マンホール１の内壁面１ｂに沿って切断され、露出した金属面に防腐剤を塗る等の処置をする。次に、マンホール壁１ａに、新しいステップ４を取付けるためのステップ取付孔２をドリル等を用いて穿設する。この際、ステップ取付孔２は、マンホール壁１ａを貫通するように穿設される。
次に、スリーブ３の溝部１８にシール用のゴム輪７を装着して、スリーブ３を、閉塞された一端１０側をステップ取付孔２に挿入して、他端１２側のフランジ１４をマンホール壁１ａの内壁面１ｂに当接した状態で位置決めさせる。この際、スリーブ３の爪部１７が、ステップ取付孔２の内壁面に押圧されるため、スリーブ３はステップ取付孔２から抜け出すことはない。このように、スリーブ３がステップ取付孔２に挿入されると、マンホール１の外側に存在する地下水は、スリーブ３の一端１０により止水されて、スリーブ３内に地下水が浸入することはない。しかしながら、マンホール壁１ａにステップ取付孔２を穿設した際に、ステップ取付孔２内に地下水が浸入する場合があるので、その際には、ステップ取付孔２内及びスリーブ３内に付着した水滴を温風等で乾燥させる必要がある。
次に、ステップ４の取付端部５に、接着用樹脂が含浸された袋状のスポンジ６を装着し、該スポンジ６を装着したステップ４の取付端部５をスリーブ３内に挿入する。すると、接着用樹脂が、スリーブ３の各開口１５からステップ取付孔２の内壁面まで到達して、ステップ４の取付端部５はスリーブ３と共にステップ取付孔２に接着される。このような手順により新しいステップ４がマンホール１に取り付けられる。
【００１７】
以上説明したように、本発明の実施の形態では、既設のコンクリート製マンホール１のステップ４の取り替え作業の際、マンホール壁１ａを貫通させて設けたステップ取付孔２に、一端１０を閉塞すると共にシール用のゴム輪７を装着したスリーブ３を挿入して、マンホール１の外側に存在する地下水がステップ取付孔２に浸入することを確実に防ぐことができるので、ステップ４の取付端部５とステップ取付孔２とをしっかりと接着させることができる。また、スリーブ３の挿入後、ステップ４の取付端部５は、接着用樹脂を含浸させた袋状のスポンジ６が装着された状態でスリーブ３内に挿入され、接着用樹脂がスリーブ３の各開口１５からステップ取付孔２の内壁面に到達するので、ステップ４の取付端部５をスリーブ３と共にステップ取付孔２に強固に接着することができる。
【００１８】
なお、本発明の実施の形態では、既設のコンクリート製マンホール１を対象としているが、新設されるコンクリート製マンホールにも適用することができる。
また、本発明の実施の形態では、スリーブ３の周壁部には、略矩形状の開口１５が複数設けられているが、円形や楕円形の開口を複数設けてもよいし、スリーブ３の長手方向または周方向に細長い開口を複数並べて設けてもよい。つまり、スリーブ３の内部空間と外部空間とが連通する開口を設ければよい。
【図面の簡単な説明】
【００１９】
【図１】図１は、本発明の実施の形態に係るコンクリート壁へのステップ取付具を示す上面図である。
【図２】図２は、図１のＡ部の拡大図である。
【図３】図３は、（ａ）がスリーブの側面図を示し、（ｂ）は（ａ）のＢ方向から見た断面図である。
【図４】図４は、接着用樹脂を含浸させた袋状のスポンジを示す側面図である。
【符号の説明】
【００２０】
１          マンホール
１ａ        マンホール壁
１ｂ        内壁面
２          ステップ取付孔
３          スリーブ（有底筒状体）
４          ステップ
５          取付端部
６          接着用樹脂を含浸させた袋状のスポンジ（多孔質袋体）
１０        一端
１５        開口
１７        爪部（抜け防止部）
【図１】
2006009267.tif 000003
【図２】
2006009267.tif 000004
【図３】
2006009267.tif 000005
【図４】
2006009267.tif 000006